(57)【要約】【課題】接続されている他の機器からＥＰＧ情報を取得することで消費電力を削減するテレビジョン放送受信装置を提供することである。【解決手段】テレビジョン放送受信装置（ＨＤＤ一体型光ディスク装置１０）は、電源オン状態において、ＥＰＧ情報を取得可能な１以上の装置と通信可能な場合、該通信可能な何れかの装置からＥＰＧ情報を取得するように制御する制御部２６を備える。【選択図】図１
2014123866.tif 000002
【特許請求の範囲】
【請求項１】
電源オン状態において、ＥＰＧ情報を取得可能な１以上の装置と通信可能な場合、該通信可能な何れかの装置からＥＰＧ情報を取得するように制御する制御部を備えたテレビジョン放送受信装置。
【請求項２】
前記制御部は、前記通信可能な装置がない場合、テレビジョン放送信号からＥＰＧ情報を取得するように制御することを特徴とする請求項１記載のテレビジョン放送受信装置。
【請求項３】
前記制御部は、ＥＰＧ情報を取得可能な複数の装置と通信可能な場合、該通信可能な複数の装置のうち、最新のＥＰＧ情報を保持している装置からＥＰＧ情報を取得するように制御することを特徴とする請求項１又は２記載のテレビジョン放送受信装置。
【請求項４】
前記制御部は、電源オン状態において、ＥＰＧ情報を取得可能な１以上の装置が通信可能になった場合、該通信可能になった何れかの装置からＥＰＧ情報を取得するように制御することを特徴とする請求項１〜３の何れかに記載のテレビジョン放送受信装置。
【請求項５】
前記制御部は、前記通信可能な装置に最新のＥＰＧ情報を保持している装置がない場合であって、所定時間内に通信可能となる予定の装置があるときは、該装置が通信可能になったときに該装置からＥＰＧ情報を取得するように制御することを特徴とする請求項１〜３の何れかに記載のテレビジョン放送受信装置。
【請求項６】
前記制御部は、ＥＰＧ情報を取得した装置毎にＥＰＧ情報の取得回数と該装置への接続回数とを記録し、ＥＰＧ情報を取得可能な複数の装置と通信可能な場合、前記取得回数及び接続回数に基づいてＥＰＧ情報を取得する装置を決定するように制御することを特徴とする請求項１又は２記載のテレビジョン放送受信装置。
【請求項７】
前記制御部は、ＥＰＧ情報を取得可能な複数の装置と通信可能な場合、該通信可能な複数の装置のうち、動作負荷の軽い装置からＥＰＧ情報を取得するように制御することを特徴とする請求項１又は２記載のテレビジョン放送受信装置。
【請求項８】
前記制御部は、ＥＰＧ情報を取得可能な複数の装置と通信可能な場合、該通信可能な複数の装置のうち、最もチューナ数の多い装置からＥＰＧ情報を取得するように制御することを特徴とする請求項１又は２記載のテレビジョン放送受信装置。
【請求項９】
テレビジョン放送の記録及び再生を行う記録再生部を備え、
前記制御部は、チャンネル毎に録画予約された回数及び／又は再生された回数を記録し、前記通信可能な何れかの装置からＥＰＧ情報を取得する場合、前記録画予約された回数及び／又は再生された回数が多いチャンネルのＥＰＧ情報を優先して取得するように制御することを特徴とする請求項１〜８の何れかに記載のテレビジョン放送受信装置。
【発明の詳細な説明】
【技術分野】
【０００１】
本発明は、ＥＰＧ（Electronic Program Guide）機能を有するテレビジョン放送受信装置に関する。
【背景技術】
【０００２】
近年、放送局から配信されるテレビジョン（以下、ＴＶと記すことがある）放送信号に含まれるＥＰＧ情報を取得可能なＴＶ放送受信装置（ＴＶ受像機や録画再生装置など）が普及している。一週間分のＥＰＧ情報の取得には数十分掛かるので、一般的に夜間の電源オフ時など、装置が使用されていないときに装置内部を電源オン状態にしてＥＰＧ情報を取得するようになっていることが多い。
【０００３】
このように電源オフ時にＥＰＧ情報を取得するには、多くの回路を動作させる必要があり、多くの電源供給を必要とし、省電力化の妨げになっている。ＥＰＧ情報の取得に関しては様々な技術が提案されており、省電力化に関する技術も提案されている。
【０００４】
例えば、特許文献１には、様々な放送形態受信のための回路への電源供給を個別に制御可能にし、ＥＰＧ情報取得のための放送形態もしくは外部接続機器を設定後、待機時に必要とされる回路部分のみに電源供給を行うテレビジョン受信機が開示されている。
【先行技術文献】
【特許文献】
【０００５】
【特許文献１】特開２００６−３３３２９４号公報
【発明の概要】
【発明が解決しようとする課題】
【０００６】
しかしながら、特許文献１のように電源オフ時（待機時）に必要な回路のみに電源供給を行うようにしても、電源オフ時にＥＰＧ情報を取得しようとする限りいくらかの電源は必要である。そこで、電源オフ時にＥＰＧ情報の取得をやめると、電源オン時にＥＰＧ情報を取得する必要がある。しかし、再生や録画等の動作と重なると負荷が大きくなるのでＥＰＧ情報の取得を制限する必要があり、必ずしも全てのＥＰＧ情報を取得できるとは限らない。
【０００７】
本発明は、接続されている他の機器からＥＰＧ情報を取得することで消費電力を削減するテレビジョン放送受信装置を提供することを目的とする。
【課題を解決するための手段】
【０００８】
上記目的を達成するために本発明のテレビジョン放送受信装置は、電源オン状態において、ＥＰＧ情報を取得可能な１以上の装置と通信可能な場合、該通信可能な何れかの装置からＥＰＧ情報を取得するように制御する制御部を備える。
【０００９】
この構成によれば、電源オン状態において、ＥＰＧ情報を取得可能な１以上の装置と通信可能な場合、該通信可能な何れかの装置からＥＰＧ情報を取得することにより、電源オン状態のときにＥＰＧ情報を更新できる。そして、通信可能な装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００１０】
上記のテレビジョン放送受信装置において、前記制御部は、前記通信可能な装置がない場合、テレビジョン放送信号からＥＰＧ情報を取得するように制御してもよい。これにより、ＥＰＧ情報を取得できない状況を回避できる。
【００１１】
また上記のテレビジョン放送受信装置において、前記制御部は、ＥＰＧ情報を取得可能な複数の装置と通信可能な場合、該通信可能な複数の装置のうち、最新のＥＰＧ情報を保持している装置からＥＰＧ情報を取得するように制御してもよい。
【００１２】
この構成によれば、ＥＰＧ情報を取得可能な複数の装置と通信可能な場合、該通信可能な複数の装置のうち、最新のＥＰＧ情報を保持している装置からＥＰＧ情報を取得することにより、電源オン状態のときに最新のＥＰＧ情報に更新できる。
【００１３】
また上記のテレビジョン放送受信装置において、前記制御部は、電源オン状態において、ＥＰＧ情報を取得可能な１以上の装置が通信可能になった場合、該通信可能になった何れかの装置からＥＰＧ情報を取得するように制御してもよい。
【００１４】
この構成によれば、電源オン状態において、ＥＰＧ情報を取得可能な１以上の装置が通信可能になった場合、該通信可能になった何れかの装置からＥＰＧ情報を取得することにより、テレビジョン放送受信装置が電源オン状態のときに、後から電源オン状態又は内部電源オン状態になった装置がある場合にＥＰＧ情報を更新できる。
【００１５】
また上記のテレビジョン放送受信装置において、前記制御部は、前記通信可能な装置に最新のＥＰＧ情報を保持している装置がない場合であって、所定時間内に通信可能となる予定の装置があるときは、該装置が通信可能になったときに該装置からＥＰＧ情報を取得するように制御してもよい。
【００１６】
この構成によれば、通信可能な装置に最新のＥＰＧ情報を保持している装置がない場合であって、所定時間内に通信可能となる予定の装置があるときは、該装置が通信可能になったときに該装置からＥＰＧ情報を取得することにより、電源オン状態のときにＥＰＧ情報を更新できる。
【００１７】
また上記のテレビジョン放送受信装置において、前記制御部は、ＥＰＧ情報を取得した装置毎にＥＰＧ情報の取得回数と該装置への接続回数とを記録し、ＥＰＧ情報を取得可能な複数の装置と通信可能な場合、前記取得回数及び接続回数に基づいてＥＰＧ情報を取得する装置を決定するように制御してもよい。
【００１８】
この構成によれば、電源オン状態のときに、使用頻度が高く最新のＥＰＧを保持している可能性の高い装置からＥＰＧ情報を取得して更新できる。
【００１９】
また上記のテレビジョン放送受信装置において、前記制御部は、ＥＰＧ情報を取得可能な複数の装置と通信可能な場合、該通信可能な複数の装置のうち、動作負荷の軽い装置からＥＰＧ情報を取得するように制御してもよい。
【００２０】
この構成によれば、ＥＰＧ情報を取得可能な複数の装置と通信可能な場合、該通信可能な複数の装置のうち、動作負荷の軽い装置からＥＰＧ情報を取得することにより、電源オン状態のときに、通信速度が速い装置と考えられる装置から短時間でＥＰＧ情報を取得できる。
【００２１】
また上記のテレビジョン放送受信装置において、ＥＰＧ情報を取得可能な複数の装置と通信可能な場合、該通信可能な複数の装置のうち、最もチューナ数の多い装置からＥＰＧ情報を取得するように制御してもよい。
【００２２】
この構成によれば、電源オン状態のときに、チューナ数が多いためにチューナに余裕があってＥＰＧ情報を収集する機会が多いと考えられる装置、つまり最新のＥＰＧを保持している可能性の高い装置からＥＰＧ情報を取得して更新できる。
【００２３】
また上記のテレビジョン放送受信装置において、テレビジョン放送の記録及び再生を行う記録再生部を備え、前記制御部は、チャンネル毎に録画予約された回数及び／又は再生された回数を記録し、前記通信可能な何れかの装置からＥＰＧ情報を取得する場合、前記録画予約された回数及び／又は再生された回数が多いチャンネルのＥＰＧ情報を優先して取得するように制御してもよい。
【００２４】
この構成によれば、ユーザーの好みのチャンネルのＥＰＧ情報を優先して取得することができる。
【発明の効果】
【００２５】
本発明によると、電源オン状態において、ＥＰＧ情報を取得可能な１以上の装置と通信可能な場合、該通信可能な何れかの装置からＥＰＧ情報を取得することにより、電源オン状態のときにＥＰＧ情報を更新できる。そして、通信可能な装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【図面の簡単な説明】
【００２６】
【図１】本発明の一実施形態のＨＤＤ一体型光ディスク装置の構成及びその周辺機器を示すブロック図である。
【図２】本発明の一実施形態のＨＤＤ一体型光ディスク装置のＥＰＧ情報取得に関する動作を示すフローチャートである。
【図３】通信可能な装置からＥＰＧ情報を取得するＨＤＤ一体型光ディスク装置の動作の一例を示すフローチャートである。
【図４】通信可能な装置からＥＰＧ情報を取得するＨＤＤ一体型光ディスク装置の動作の一例を示すフローチャートである。
【図５】通信可能な装置からＥＰＧ情報を取得するＨＤＤ一体型光ディスク装置の動作の一例を示すフローチャートである。
【図６】通信可能な装置からＥＰＧ情報を取得するＨＤＤ一体型光ディスク装置の動作の一例を示すフローチャートである。
【図７】通信可能な装置からＥＰＧ情報を取得するＨＤＤ一体型光ディスク装置の動作の一例を示すフローチャートである。
【図８】通信可能な装置からＥＰＧ情報を取得するＨＤＤ一体型光ディスク装置の動作の一例を示すフローチャートである。
【図９】取得するＥＰＧ情報の優先順位を決定するための、ＨＤＤ一体型光ディスク装置の動作の一例を示すフローチャートである。
【発明を実施するための形態】
【００２７】
以下に本発明の実施形態を図面を参照して説明する。なお、各実施形態は可能な範囲で組み合わせて実施することもできる。
【００２８】
本発明のテレビジョン放送受信装置の一例として、デジタルテレビジョン放送を受信して録画できるハードディスクドライブ（ＨＤＤ）一体型光ディスク装置を用いて説明する。なお、テレビジョン放送受信装置としては、テレビジョン受像機、光ディスクやハードディスクを記録媒体とする録画再生装置や再生装置、ケーブルテレビ等のセットトップボックス、それらの複合機などが挙げられる。
【００２９】
図１は、ＨＤＤ一体型光ディスク装置１０の構成及びその周辺機器を示すブロック図である。ＨＤＤ一体型光ディスク装置１０には、テレビジョン受像機等の表示装置１１と、ネットワーク１２と、アンテナ１４とが接続されている。以下では、ネットワーク１２は家庭内ＬＡＮ（Local Area Network）であるとして説明する。またＨＤＤ一体型光ディスク装置１０は、リモコン１３によって操作可能である。
【００３０】
ＨＤＤ一体型光ディスク装置１０はチューナ１６と、映像／音声圧縮伸長部１７と、ＨＤＤ記録再生部１８と、ＢＤ／ＤＶＤ記録再生部１９と、ＯＳＤ部２０と、映像出力部２１と、音声出力部２２と、メモリ２３と、リモコン受信部２４と、通信部２５と、外部Ｉ／Ｆ２７と、制御部２６とを備えている。
【００３１】
チューナ１６は、アンテナ１４で受信したデジタルテレビ放送信号を復調、デジタル化する。映像／音声圧縮伸長部１７は、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００３２】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００３３】
ＯＳＤ部２０は、ＥＰＧ情報取得に関する設定をはじめとする各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置１１へ出力する。メモリ２３は、ＲＯＭやＲＡＭからなり、ＥＰＧ情報等を保持する。リモコン受信部２４は、リモコン１３からの信号を受信する。
【００３４】
通信部２５は、ネットワーク１２との接続を行い、ＥＰＧ情報をネットワーク１２経由でＥＰＧ情報を保持している装置から取得する。この装置としては、ネットワーク１２を介してＨＤＤ一体型光ディスク装置１０と通信する機能と、ＥＰＧ情報を取得する機能とを有するものを用いることができる。このような装置としては、例えば、ＥＰＧ情報を取得可能なテレビジョン受像機、ＥＰＧ情報を取得可能な録画再生装置などが挙げられる。なお、ネットワーク１２を介して接続される装置はテレビジョン放送信号等からＥＰＧ情報を取得可能な装置が１以上含まれていればよく、その数には特に限定はない。
【００３５】
外部Ｉ／Ｆ２７は、外部装置が接続される外部入力端子等からなる。外部Ｉ／Ｆ２７はローカルな接続であればよく、例えば、ＨＤＭＩ（High-Definition Multimedia Interface）等による機器間接続である。外部装置としては、ケーブルテレビや衛星放送等のセットトップボックス、ビデオデッキ等の録画再生装置などが挙げられる。このような外部装置もテレビジョン放送信号等からＥＰＧ情報を取得可能な装置であれば、ＨＤＤ一体型光ディスク装置１０がＥＰＧを取得する対象機器となる。
【００３６】
制御部２６は、ＨＤＤ一体型光ディスク装置１０の各部を制御する。例えば、制御部２６は、本機の電源オン状態において、ＥＰＧ情報を取得可能な１以上の装置と通信可能な場合、該通信可能な何れかの装置からＥＰＧ情報を取得するように制御する。以下に、この制御について詳しく説明する。
【００３７】
なお、電源オン状態とは、リモコン１３等の電源ボタンが操作されてＨＤＤ一体型光ディスク装置１０の全部に電源が供給されている状態であり、直ぐに各動作（再生など）を実行できる状態を指す。また、後述する内部電源オン状態は、ユーザーからの見た目には電源オフ状態であり、予約録画や通信のために必要な各部（例えば、映像出力部２１及び音声出力部２２を除く各部）に電源が供給されている状態を指す。また、テレビジョン受像機において内部電源オンは、例えば、映像出力及び音声出力を除く各部に電源が供給され、テレビジョン放送信号からＥＰＧ情報を取得したり、保持しているＥＰＧ情報をネットワーク１２経由で送信したりすることができる状態を指す。
【００３８】
図２は、ＨＤＤ一体型光ディスク装置１０のＥＰＧ情報取得に関する動作を示すフローチャートである。まず、ステップＳ１０においてリモコン１３等の電源ボタンが操作されてＨＤＤ一体型光ディスク装置１０が電源オン状態になると、ステップＳ１１へ進んで制御部２６は、ネットワーク１２又は外部Ｉ／Ｆ２７に接続された装置のうち、現在通信可能な装置であってＥＰＧ機能を有する装置があるか否かを判別する。
【００３９】
ステップＳ１１においてそのような装置が１つ以上あった場合、つまり、ＥＰＧ機能を有する装置の何れかが電源オン状態又は内部電源オン状態である場合、ステップＳ１２へ進んで通信可能な何れかの装置からＥＰＧ情報を取得する。一方、ステップＳ１１においてそのような装置がない場合、ステップＳ１３へ進んでＨＤＤ一体型光ディスク装置１０自身でテレビジョン放送信号からＥＰＧ情報を取得する。
【００４０】
このように、電源オン状態において、ＥＰＧ情報を取得可能な１以上の装置と通信可能な場合、該通信可能な何れかの装置からＥＰＧ情報を取得することにより、電源オン状態のときにＥＰＧ情報を更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００４１】
以下に、ＥＰＧ情報の取得方法の具体例について説明する。
【００４２】
図３は、通信可能な装置からＥＰＧ情報を取得するＨＤＤ一体型光ディスク装置１０の動作の一例を示すフローチャートである。図２のステップＳ１２の一例として、ＥＰＧ情報を取得可能な複数の装置と通信可能な場合、ステップＳ２０において通信可能な装置のそれぞれから、保持しているＥＰＧ情報のバージョン（ＥＰＧ情報を更新した日時でもよい）を取得する。バージョンの情報は放送局から送信されるＥＰＧ情報に付加されているものを利用できる。
【００４３】
ステップＳ２０からステップＳ２１へ進んで最新のＥＰＧ情報を保持している装置があるか否かを判別する。ステップＳ２１において最新のＥＰＧ情報を保持している装置がある場合、ステップＳ２２へ進んでその装置から最新のＥＰＧ情報を取得する。そして、ステップＳ２３へ進んでメモリ２３のＥＰＧ情報を取得した最新のＥＰＧ情報に更新する。
【００４４】
一方、ステップＳ２１において最新のＥＰＧ情報を保持している装置がない場合、ステップＳ２４へ進んでＨＤＤ一体型光ディスク装置１０自身でテレビジョン放送信号からＥＰＧ情報を取得する。
【００４５】
このように、ＥＰＧ情報を取得可能な複数の装置と通信可能な場合、該通信可能な複数の装置のうち、最新のＥＰＧ情報を保持している装置からＥＰＧ情報を取得することにより、電源オン状態のときに最新のＥＰＧ情報に更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００４６】
図４は、通信可能な装置からＥＰＧ情報を取得するＨＤＤ一体型光ディスク装置１０の動作の一例を示すフローチャートである。まず、ステップＳ３０においてＨＤＤ一体型光ディスク装置１０が電源オン状態にある場合、ステップＳ３１へ進んで制御部２６は、ネットワーク１２又は外部Ｉ／Ｆ２７に接続された装置のうち、通信可能になった装置（例えば、ＨＤＤ一体型光ディスク装置１０よりも後から電源オン又は内部電源オンになった装置）であってＥＰＧ機能を有する装置があるか否かを判別する。
【００４７】
ステップＳ３１においてそのような装置が１つ以上あった場合、つまり、ＥＰＧ機能を有する装置の何れかが電源オン状態又は内部電源オン状態になった場合、ステップＳ３２へ進み、適宜ステップＳ３３〜Ｓ３５へ進む。ステップＳ３２〜Ｓ３５は図３のステップＳ２１〜Ｓ２４と同様であるので、ここでは説明を省略する。
【００４８】
このように、電源オン状態において、ＥＰＧ情報を取得可能な１以上の装置が通信可能になった場合、該通信可能になった何れかの装置からＥＰＧ情報を取得することにより、ＨＤＤ一体型光ディスク装置１０が電源オン状態のときに、後から電源オン状態又は内部電源オン状態になった装置がある場合に、最新のＥＰＧ情報に更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００４９】
図５は、通信可能な装置からＥＰＧ情報を取得するＨＤＤ一体型光ディスク装置１０の動作の一例を示すフローチャートである。まず、ステップＳ４０においてＨＤＤ一体型光ディスク装置１０が電源オン状態にある場合、ステップＳ４１へ進んで制御部２６は、ネットワーク１２又は外部Ｉ／Ｆ２７に接続された装置のうち、現在通信可能な装置であってＥＰＧ機能を有する装置があるか否かを判別する。
【００５０】
ステップＳ４１においてそのような装置が１つ以上あった場合、ステップＳ４２へ進み、適宜ステップＳ４３〜Ｓ４５へ進む。ステップＳ４３〜Ｓ４５は図３のステップＳ２１〜Ｓ２４と同様であるので、ここでは説明を省略する。
【００５１】
一方、ステップ４３において最新のＥＰＧ情報を保持している装置がない場合、ステップＳ４６へ進んで所定時間内（例えば１０分以内）に通信可能となる予定の装置があるか否かを判別する。このような装置があるか否かは、例えば、所定時間内に録画予約又は視聴予約されている装置があるか否かで判別することができる。
【００５２】
ステップＳ４６において所定時間内に通信可能となる予定の装置がある場合、ステップＳ４７へ進んでその装置が通信可能になったことを確認した後、ステップＳ４４へ進んでその装置からＥＰＧ情報を取得し、ステップ４５へ進んでメモリ２３のＥＰＧ情報を取得した最新のＥＰＧ情報に更新する。
【００５３】
一方、ステップＳ４１においてそのような装置がない場合、又はステップＳ４６において所定時間内に通信可能となる予定の装置がない場合、ステップＳ４８へ進んでＨＤＤ一体型光ディスク装置１０自身でテレビジョン放送信号からＥＰＧ情報を取得する。
【００５４】
このように、通信可能な装置に最新のＥＰＧ情報を保持している装置がない場合であって、所定時間内に通信可能となる予定の装置があるときは、該装置が通信可能になったときに該装置からＥＰＧ情報を取得することにより、電源オン状態のときにＥＰＧ情報を更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００５５】
図６は、通信可能な装置からＥＰＧ情報を取得するＨＤＤ一体型光ディスク装置１０の動作の一例を示すフローチャートである。図２のステップＳ１２の一例として、ＥＰＧ情報を取得可能な複数の装置と通信可能な場合、ステップＳ５０においてそれらの装置毎のＥＰＧ情報の取得回数及び接続回数に基づいてＥＰＧ情報を取得する装置を決定する。
【００５６】
ここで、装置毎の接続回数は、各装置に対してＥＰＧ情報を取得するために接続状態を維持した回数である。また、装置毎のＥＰＧ情報の取得回数は、過去にどの装置からＥＰＧ情報を何回取得したかという回数である。この取得回数は番組単位のデータ更新回数を指すので、１回の接続で多くの回数が記録される。これらの取得回数及び接続回数は過去の所定期間における回数をメモリ２３に記憶しておくことで利用できる。
【００５７】
そして、取得回数及び接続回数に基づいてＥＰＧ情報を取得する装置を決定する方法は、例えば、それらの回数の合計の多い装置とすることができる。
【００５８】
ステップＳ５０からはステップＳ５１へ進んで、決定した装置からＥＰＧ情報を取得する。そして、ステップＳ５２へ進んでメモリ２３のＥＰＧ情報を取得したＥＰＧ情報に更新する。
【００５９】
このように、ＥＰＧ情報を取得した装置毎にＥＰＧ情報の取得回数と該装置への接続回数とを記録しておくことで、ＥＰＧ情報を取得可能な複数の装置と通信可能な場合、取得回数及び接続回数に基づいてＥＰＧ情報を取得する装置を決定することができる。これにより、電源オン状態のときに、使用頻度が高く最新のＥＰＧを保持している可能性の高い装置からＥＰＧ情報を取得して更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００６０】
図７は、通信可能な装置からＥＰＧ情報を取得するＨＤＤ一体型光ディスク装置１０の動作の一例を示すフローチャートである。図２のステップＳ１２の一例として、ＥＰＧ情報を取得可能な複数の装置と通信可能な場合、ステップＳ６０においてそれらの装置のうち、動作負荷の軽い装置があるか否かを判別する。ここでの動作負荷の判別は、例えば、それぞれの装置において現在いくつの機能が動作しているかを比較し、動作している機能の数が所定の閾値より少なければ動作負荷が軽いと判別することができる。
【００６１】
ステップＳ６０において動作負荷の軽い装置がある場合、ステップＳ６１へ進んで最も負荷の軽い装置からＥＰＧ情報を取得する。そして、ステップＳ６２へ進んでメモリ２３のＥＰＧ情報を取得したＥＰＧ情報に更新する。
【００６２】
一方、ステップＳ６０においてそのような装置がない場合、ステップＳ６３へ進んでＨＤＤ一体型光ディスク装置１０自身でテレビジョン放送信号からＥＰＧ情報を取得する。
【００６３】
このように、ＥＰＧ情報を取得可能な複数の装置と通信可能な場合、該通信可能な複数の装置のうち、動作負荷の軽い装置からＥＰＧ情報を取得することにより、電源オン状態のときに、通信速度が速い装置と考えられる装置から短時間でＥＰＧ情報を取得できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００６４】
図８は、通信可能な装置からＥＰＧ情報を取得するＨＤＤ一体型光ディスク装置１０の動作の一例を示すフローチャートである。図２のステップＳ１２の一例として、ＥＰＧ情報を取得可能な複数の装置と通信可能な場合、ステップＳ７０においてそれらの装置毎のチューナ数に基づいてＥＰＧ情報を取得する装置を決定する。そして、チューナ数に基づいてＥＰＧ情報を取得する装置を決定する方法は、最もチューナ数の多い装置とすることができる。各装置のチューナ数は予めユーザー等によって登録された数をメモリ２３に記憶しておくことで利用できる。
【００６５】
ステップＳ７０からはステップＳ７１へ進んで、決定した装置からＥＰＧ情報を取得する。そして、ステップＳ７２へ進んでメモリ２３のＥＰＧ情報を取得したＥＰＧ情報に更新する。
【００６６】
このように、各装置のチューナ数を記録しておくことで、ＥＰＧ情報を取得可能な複数の装置と通信可能な場合、最もチューナ数の多い装置からＥＰＧ情報を取得することができる。これにより、電源オン状態のときに、チューナ数が多いためにチューナに余裕があってＥＰＧ情報を収集する機会が多いと考えられる装置、つまり最新のＥＰＧを保持している可能性の高い装置からＥＰＧ情報を取得して更新できる。そして、ネットワーク１２又は外部Ｉ／Ｆ２７に接続された装置からＥＰＧ情報を取得するので、テレビジョン放送信号からＥＰＧ情報を取得する場合よりも短時間で効率的である。また、電源オフ時に内部電源オン状態にしてテレビジョン放送信号からＥＰＧ情報を取得する必要がないので、消費電力を削減できる。
【００６７】
図９は、取得するＥＰＧ情報の優先順位を決定するための、ＨＤＤ一体型光ディスク装置１０の動作の一例を示すフローチャートである。図２のステップＳ１２の一例として、通信可能な何れかの装置からＥＰＧ情報を取得する場合、録画予約された回数及び／又は再生された回数が多いチャンネルのＥＰＧ情報を優先して取得するようにする。
【００６８】
このときの優先順位を図９に基づいて決定する。まず、ステップＳ８０において録画予約された場合、ステップＳ８１へ進んで録画予約されたチャンネルに対応させて録画予約回数をメモリ２３に記録する。例えば、メモリ２３にチャンネル毎の録画予約回数の一覧を有し、録画予約される毎に対応するチャンネルの録画予約回数に加算すればよい。
【００６９】
一方、ステップＳ８１において録画予約がない場合、ステップＳ８２へ進んで録画された番組が再生されたか否かを判別する。ステップＳ８２において再生された場合、ステップＳ８３へ進んで再生されたチャンネルに対応させて再生回数をメモリ２３に記録する。例えば、メモリ２３にチャンネル毎の再生回数の一覧を有し、再生される毎に対応するチャンネルの再生回数に加算すればよい。なお、再生は一定時間以上再生した場合に再生したとみなしてもよい。
【００７０】
ステップＳ８１又はステップＳ８３からはステップＳ８４へ進んで録画予約回数及び再生回数の合計が多いチャンネル順にＥＰＧ情報を取得する優先順位を高く設定する。また、録画予約回数又は再生回数のどちらかの回数を用い、その回数が多いチャンネル順にＥＰＧ情報を取得する優先順位を高く設定してもよい。
【００７１】
このように、チャンネル毎に録画予約された回数及び／又は再生された回数を記録しておくことで、通信可能な何れかの装置からＥＰＧ情報を取得する場合、録画予約された回数及び／又は再生された回数が多いチャンネルのＥＰＧ情報を優先して取得することができる。よって、ユーザーの好みのチャンネルのＥＰＧ情報を優先して取得することができる。
【符号の説明】
【００７２】
１０  ＨＤＤ一体型光ディスク装置（テレビジョン放送受信装置）
２６  制御部
【図１】
2014123866.tif 000003
【図２】
2014123866.tif 000004
【図３】
2014123866.tif 000005
【図４】
2014123866.tif 000006
【図５】
2014123866.tif 000007
【図６】
2014123866.tif 000008
【図７】
2014123866.tif 000009
【図８】
2014123866.tif 000010
【図９】
2014123866.tif 000011